(57)【特許請求の範囲】
【請求項１】
第一の絶縁基板上に付設され、誘電体層で覆われた複数の対を成す走査電極および維持電極と、第二の絶縁基板上に付設され、前記対を成す走査電極および維持電極に直交する複数のデータ電極とが対向して配置され、前記対を成す走査電極および維持電極と前記データ電極との交差部に放電セルが形成され、前記走査電極と前記維持電極はそれぞれ透明電極および不透明の母線で形成された構成であり、前記走査電極と前記維持電極とに維持パルス電圧を印加することにより維持放電が行われるＡＣ型プラズマディスプレイパネルにおいて、前記誘電体層の比誘電率をε、前記誘電体層の厚みをｄ（ｍ）、一つの前記放電セル内の前記走査電極と前記維持電極の有効面積をＳ（ｍ2）、一対の前記走査電極および前記維持電極に対応して存在する放電セルの数をＮ（個）、前記維持パルス電圧の値をＶｍ（Ｖ）とすると、前記走査電極および前記維持電極の一本当たりの線抵抗値ＲがＲ≦１．２×１０6×ｄ／（ε×Ｓ×Ｖｍ×Ｎ）（Ω）であるＡＣ型プラズマディスプレイパネル。
【請求項２】
第一の絶縁基板上に付設され、誘電体層で覆われた複数の対を成す走査電極および維持電極と、第二の絶縁基板上に付設され、前記対を成す走査電極および維持電極に直交する複数のデータ電極とが対向して配置され、前記対を成す走査電極および維持電極と前記データ電極との交差部に放電セルが形成され、前記走査電極と前記維持電極はそれぞれ透明電極および不透明の母線で形成された構成であり、前記走査電極と前記維持電極とに維持パルス電圧を印加することにより維持放電が行われるＡＣ型プラズマディスプレイパネルにおいて、前記誘電体層の比誘電率をε、前記誘電体層の厚みをｄ（ｍ）、一つの前記放電セル内の前記走査電極と前記維持電極の有効面積をＳ（ｍ2）、一対の前記走査電極および前記維持電極に対応して存在する放電セルの数をＮ（個）、前記維持パルス電圧の値をＶｍ（Ｖ）とすると、前記走査電極および前記維持電極の一本当たりの線抵抗値ＲがＲ≦０．８×１０6×ｄ／（ε×Ｓ×Ｖｍ×Ｎ）（Ω）であるＡＣ型プラズマディスプレイパネル。
【発明の詳細な説明】
【０００１】
【発明の属する技術分野】
本発明はテレビジョン受像機および情報表示端末等の画像表示に用いるＡＣ型プラズマディスプレイパネルに関するものである。
【０００２】
【従来の技術】
従来のＡＣ型プラズマディスプレイパネル（以下パネルと略す）の部分切欠斜視図を図４に示す。図４において、第一の絶縁基板１上には誘電体層２および保護膜３で覆われた複数の対を成す走査電極４および維持電極５とが付設されている。第二の絶縁基板６上には複数のデータ電極７が付設され、さらに隣接するデータ電極７間にデータ電極７と平行して隔壁８が設けられ、データ電極７の表面と隔壁８の側面とに蛍光体９が設けられている。そして、走査電極４および維持電極５とデータ電極７とが直交するように第一の絶縁基板１と第二の絶縁基板６とが対向して配置され、その対向空間に例えばネオンとキセノンとが封入されている。このパネルは、対を成す走査電極４と維持電極５との間で維持放電を起こし、この維持放電からの紫外線で蛍光体９を励起し、蛍光体９からの可視光をパネルの表示発光に用いるものである。
【０００３】
走査電極４は透明電極４ａおよびこれと重なった母線４ｂで形成され、同様に維持電極５は透明電極５ａおよびこれと重なった母線５ｂで形成されている。一般に、透明電極４ａ、５ａの抵抗値は高いため、銀等から成る不透明の母線４ｂ、５ｂを透明電極４ａ、５ａに電気的に接触するように重ねて設けることにより、走査電極４および維持電極５の電極としての線抵抗値を下げるように成されている。すなわち、走査電極４および維持電極５の電極としての線抵抗値は、それぞれほぼ母線４ｂ、母線５ｂの線抵抗値と等しい値となる。例えば図４に示す構造の、８５２×４８０画素、４２インチパネルでは、走査電極４および維持電極５のそれぞれ一本当たりの線抵抗値を１３０〜３００Ωとしている。この程度の抵抗値の場合、維持放電の電流により消費する電力は、パネルの全消費電力の１％未満であり、問題とならない程度のものである。
【０００４】
次に、このパネルの電極配列は、図５に示すように、行方向にはＭ行の走査電極４（ＳＣＮ1〜ＳＣＮM）および維持電極５（ＳＵＳ1〜ＳＵＳM）が配列されており、列方向にはＮ列のデータ電極７（Ｄ1〜ＤN）が配列されている。同一行の、対を成す走査電極４および維持電極５とデータ電極７との交差部は放電セルＣ11〜ＣMNを成しており、これらの放電セルＣ11〜ＣMNはＭ行×Ｎ列のマトリクス構成を成している。
【０００５】
このパネルの動作について、１サブフィールド期間の駆動タイミングである図６を用いて説明する。
【０００６】
図６において、まず書き込み期間に、表示データのある所定のデータ電極Ｄj（ｊ＝１〜Ｎ）に正の書き込みパルス電圧＋Ｖw（Ｖ）、第１行の走査電極ＳＣＮ1に負の走査パルス電圧−Ｖs（Ｖ）を印加して、所定のデータ電極Ｄjと第１行の走査電極ＳＣＮ1との交差部の放電セルＣ1jにおいて書き込み放電を起こす。同様な動作が第２行から第Ｍ行まで引き続いて行われる。
【０００７】
続く維持期間において、全ての維持電極ＳＵＳ1〜ＳＵＳMと全ての走査電極ＳＣＮ1〜ＳＣＮMとに負の維持パルス電圧−Ｖｍ（Ｖ）を交互に印加して、前述の書き込み放電を起こした全ての放電セルで維持放電を開始し、その後維持パルス電圧の印加を続けている間、維持して放電が継続して維持される。この維持放電による発光を表示に用いる。
【０００８】
続く消去期間において、全ての維持電極ＳＵＳ1〜ＳＵＳMに負の細幅消去パルス電圧−Ｖｅ（Ｖ）を印加して、消去放電を起こして維持放電を停止させる。
【０００９】
以上の書き込み期間から消去期間までの動作により１サブフィールド期間の１画面の表示が成される。
【００１０】
この表示画面の輝度は、維持放電の期間の長さ、すなわち維持パルス電圧の印加回数に比例する。したがって、上記１サブフィールドの一回の表示では、ある一定の輝度の表示しか得られないので、これを一つのサブフィールドの表示動作とし、１フィールド期間内に輝度の異なる複数のサブフィールドの動作を順次繰り返すことにより階調のある画面表示を行う。さらに、１フィールド期間の動作を繰り返すことにより動画が表示される。
【００１１】
【発明が解決しようとする課題】
しかし、従来のパネルにおいては、走査電極４および維持電極５の電極としての線抵抗値は、消費電力の点ではかなり低い値であるので、特にこれ以上の注意が払われていなかったが、従来の線抵抗値においても維持パルス電圧−Ｖｍ（Ｖ）の動作電圧マージンが狭くなり維持放電の安定性が悪くなることや、発光効率が低くなるという問題があることが判明した。
【００１２】
本発明は、このような問題を解決するためになされたものであり、維持放電の動作電圧マージンを拡大し、放電特性の向上とさらに高効率化を図ることができるパネルを提供することを目的とする。
【００１３】
【課題を解決するための手段】
本発明は、第一の絶縁基板上に付設され、誘電体層で覆われた複数の対を成す走査電極および維持電極と、第二の絶縁基板上に付設され、前記対を成す走査電極および維持電極に直交する複数のデータ電極とが対向して配置され、前記対を成す走査電極および維持電極と前記データ電極との交差部に放電セルが形成され、前記走査電極と前記維持電極はそれぞれ透明電極および不透明の母線で形成された構成であり、前記走査電極と前記維持電極とに維持パルス電圧を印加することにより維持放電が行われるＡＣ型プラズマディスプレイパネルにおいて、前記誘電体層の比誘電率をε、前記誘電体層の厚みをｄ（ｍ）、一つの前記放電セル内の前記走査電極と前記維持電極の有効面積をＳ（ｍ2）、一対の前記走査電極および前記維持電極に対応して存在する放電セルの数をＮ（個）、前記維持パルス電圧の値をＶｍ（Ｖ）とすると、前記走査電極および前記維持電極の一本当たりの線抵抗値ＲがＲ≦１．２×１０6×ｄ／（ε×Ｓ×Ｖｍ×Ｎ）（Ω）であるＡＣ型プラズマディスプレイパネルである。
【００１４】
この構成により、維持パルス電圧の動作電圧マージンを拡大することができる。
【００１５】
【発明の実施の形態】
本発明の一実施形態としてのパネルは、その構造において、図４に示した従来のパネルと同じであり、また、その電極配列において、図５に示したものと同じであり、さらに、駆動のタイミングおよび動作において、図６に示したものと同じである。
【００１６】
本発明の一実施形態のパネルが従来のパネルと異なる点は、走査電極および維持電極の電極としての線抵抗値であり、これについて図１を用いて説明する。
【００１７】
図１（ａ）はｉ行ｊ列にある一個の放電セルＣijの概略構成図であり、図１（ｂ）は放電セルＣijのデータ電極に平行な方向の断面図を示している。誘電体層２の比誘電率をε、誘電体層２の厚みをｄ（ｍ）、放電セル内に透明電極４１と母線４２とで形成された走査電極４および透明電極５１と母線５２とで形成された維持電極５の幅をＷ（ｍ）、長さをＨ（ｍ）で表している。これから、一つの放電セル内の走査電極４または維持電極５の有効面積Ｓは、Ｓ＝Ｗ×Ｈ（ｍ2）となる。また、走査電極４または維持電極５の有効面積Ｓに対する保護膜３を含めた誘電体層２の静電容量Ｃは、Ｃ＝ε×ε0×Ｓ／ｄ（Ｆ）となる（ε0：真空の誘電率）。
【００１８】
また、一本の走査電極４と一本の維持電極５との間に流れる放電電流Ｉは、時間ｔに対し移動する電荷量Ｑで決まり、Ｉ＝ｄＱ／ｄｔ（Ａ）となる。また、維持放電のパルス電圧をＶｍ（Ｖ）、走査電極４および維持電極５上にある放電セルの数、すなわちパネルの放電セルの列数はＮであるので、Ｑ＝Ｎ×Ｃ×Ｖｍ（Ｃ）となり、その結果、Ｉ＝（１／Ｋ）×Ｎ×ε×Ｓ×Ｖｍ／ｄ（Ａ）（Ｋ：定数）となる。また、ある行の両端に位置する放電セルにかかる電圧の差を小さく抑えるためには、走査電極４および維持電極５の電極としての線抵抗値Ｒ（Ω）をこの放電電流に反比例して小さくしなければならない。このため、Ｒ≦Ｋ×ｄ／（ε×Ｓ×Ｖｍ×Ｎ）（Ω）、すなわちＫ≧Ｒ×ε×Ｓ×Ｖｍ×Ｎ／ｄ（Ω・ｍ・Ｖ）という関係が必要となる。なお上記線抵抗値Ｒ（Ω）は、電極４、５の長手方向両端部で測定したときの値である。
【００１９】
そこで、前述した８５２×４８０画素、４２インチパネルにおいて、誘電体層２の比誘電率ε、誘電体層２の厚みｄ（ｍ）、走査電極または維持電極の有効面積Ｓ（ｍ2）、パルス電圧Ｖｍ（Ｖ）、Ｎ＝８５２×３から、走査電極４または維持電極５の電極の線抵抗値Ｒ（Ω）として、母線一本当たりの線抵抗値を変化させて、Ｋ＝Ｒ×ε×Ｓ×Ｖｍ×Ｎ／ｄ（Ω・ｍ・Ｖ）の値に対するパネルの特性を実験的に調べた。図２は、Ｋに対する維持放電のパルス電圧のマージンを示したものである。図２中Ｖｍ2以上の領域１は表示セル以外の放電セルが誤放電する領域、Ｖｍ1以上、Ｖｍ2以下の領域２は表示セルが正常に維持放電する領域、Ｖｍ1以下の領域３は表示セルが不灯になる領域を示している。図２より、Ｋの値が低下するにしたがってＶｍ2とＶｍ1との差である維持パルス電圧のマージンが大きくなっていることがわかる。上記の前例とした従来のパネルのＫの値は１．７×１０6となり、このＫの値において維持パルス電圧のマージンが狭いことがわかる。したがって、従来のパネルにおいては、走査電極４および維持電極５の電極としての線抵抗値Ｒが高く、消費電力のみが考慮されている結果、維持放電を安定に行う上で問題があった。図２からＫの値をＫ≦１．２×１０6とすると維持放電のパルス電圧のマージンが従来のパネルに比べて２倍以上に広がることが分かる。すなわち、１．２×１０6≧Ｋ≧Ｒ×ε×Ｓ×Ｖｍ×Ｎ／ｄから、走査電極４または維持電極５の電極としての線抵抗値Ｒを、Ｒ≦１．２×１０6×ｄ／（ε×Ｓ×Ｖｍ×Ｎ）（Ω）とすることにより、維持放電のパルス電圧のマージンを広げることができ、安定した維持放電動作を得ることができる。
【００２０】
また、図３は、Ｋに対するパネルの発光効率比を示したものであり、従来のＫ＝１．７×１０6のときのパネルの発光効率に比較して、Ｋ≦０．８×１０6とするとパネルの発光効率が約１．３倍以上になることがわかる。すなわち、０．８×１０6≧Ｋ≧Ｒ×ε×Ｓ×Ｖｍ×Ｎ／ｄから、走査電極４または維持電極５の電極としての線抵抗値Ｒを、Ｒ≦０．８×１０6×ｄ／（ε×Ｓ×Ｖｍ×Ｎ）（Ω）とすることにより、パネルの発光効率を向上することができるものである。
【００２１】
ここで、図２、図３に示す結果を求める実験で用いたＫの値は、前例の８５２×４８０画素、４２インチパネルから得られたものであり、誘電体層の比誘電率ε、誘電体層の厚みｄ（ｍ）、走査電極または維持電極の有効面積Ｓ（ｍ2）、パルス電圧Ｖｍ（Ｖ）の値を所定の値に設定したパネルの結果であるが、このＫの値はｄ／（ε×Ｓ×Ｖｍ×Ｎ）に対応した値であるので、他の設計仕様のパネルにおいても、上述のＲ≦１．２×１０6×ｄ／（ε×Ｓ×Ｖｍ×Ｎ）（Ω）およびＲ≦０．８×１０6×ｄ／（ε×Ｓ×Ｖｍ×Ｎ）（Ω）とすることによって、上述の効果を得ることができる。
【００２２】
なお、本発明は、走査電極および維持電極の形状並びにその形成方法や母線の材料、形成方法等により制限されるものではない。
【００２３】
【発明の効果】
以上説明したように、本発明のパネルによれば、誘電体層の比誘電率をε、厚みをｄ（ｍ）、一つの放電セル内の走査電極と維持電極の有効面積をＳ（ｍ2）、一対の走査電極および維持電極に対応して存在する放電セルの数をＮ（個）、維持パルス電圧の値をＶｍ（Ｖ）とするとき、走査電極および維持電極の一本当たりの線抵抗値ＲをＲ≦１．２×１０6×ｄ／（ε×Ｓ×Ｖｍ×Ｎ）（Ω）とすることにより、パネルの維持放電の動作電圧マージンを拡大して安定な維持放電が得られ、放電特性の向上を図ることができる。さらにＲ≦０．８×１０6×ｄ／（ε×Ｓ×Ｖｍ×Ｎ）（Ω）とすることにより、パネルの高効率化を図ることができる。
【図面の簡単な説明】
【図１】本発明の一実施形態のパネルにおける一個の放電セルの概略構成を示す断面図
【図２】Ｋに対する維持放電のパルス電圧のマージンを示す図
【図３】Ｋに対するパネルの発光効率を示す図
【図４】従来のパネルの部分切欠斜視図
【図５】同パネルの電極配列図
【図６】同パネルの動作タイミングを示す図
【符号の説明】
１  第一の絶縁基板
２  誘電体層
３  保護膜
４  走査電極
５  維持電極
６  第二の絶縁基板
７  データ電極
８  隔壁
９  蛍光体
４１、５１  透明電極
４２、５２  母線
【図１】
0004314701.tif 000002
【図２】
0004314701.tif 000003
【図３】
0004314701.tif 000004
【図４】
0004314701.tif 000005
【図５】
0004314701.tif 000006
【図６】
0004314701.tif 000007